(57)【要約】【課題】複数のカードの書き換えに必要な時間を短縮することを可能とするカードシステムを提供する。【解決手段】カードシステム１は、書き換え可能な表示部４を備える複数のカード３と、複数のカード３を保持し、各カード３の表示部４の表示内容を書き換えるためのカードホルダ２とを備える。第２の制御部１３は、スイッチ７、スピーカー８および第２のアンテナ９と、これらを制御する第２の制御部１３を備える。各カード３は、第１のアンテナ１７と表示部４を制御する第１の制御部１５を備える。第２の制御部１３は、第２のアンテナ９を制御して各カード３の第１のアンテナ１７に情報を送信する。第１の制御部１５は、第１のアンテナ１７を制御して第２のアンテナ９から送信された情報を受信し、該情報に基づいて表示部４の表示を書き換える。【選択図】図２
2011045624.tif 000002
【特許請求の範囲】
【請求項１】
表示情報が書き換え可能な表示部を有する複数のカードと、
前記複数のカードを保持するカードホルダと、
前記カードホルダに保持された前記複数のカードの表示部を、それぞれ異なる表示情報に書き換える書き換え手段と、を備える
ことを特徴とするカードシステム。
【請求項２】
前記書き換え手段として、
前記各カードは、第１のアンテナと、前記第１のアンテナおよび前記表示部を制御する第１の制御部と、を有し、
前記カードホルダは、第２のアンテナと、前記第２のアンテナを制御する第２の制御部と、を有し、
前記第２の制御部は、前記第２のアンテナを制御して前記第１のアンテナに情報を送信し、
前記第１の制御部は、前記第１のアンテナを制御して前記第２のアンテナから送信された情報を受信し、該情報に基づいて前記表示部の表示を書き換える
ことを特徴とする請求項１に記載のカードシステム。
【請求項３】
前記表示部は、液晶表示素子を用いて構成された
ことを特徴とする請求項１または２に記載のカードシステム。
【請求項４】
前記表示部は、電気泳動表示素子を用いて構成された
ことを特徴とする請求項１または２に記載のカードシステム。
【発明の詳細な説明】
【技術分野】
【０００１】
本発明は、表示保持と書換え可能な複数のカードとそのカードの書換えシステムに関する。
【背景技術】
【０００２】
従来から、娯楽の１つとしてトランプ、花札、カルタなどのカードゲームがよく知られている。近年では、カードを利用するゲームシステムにおいて、様々なルールやゲームシステムが提案され、各々に対応したトレーティングカードなどが提案されている。その多くが印刷された紙媒体であり、各々のゲームごとに必要なカードを購入して集める必要があり、それらの保管用の空間も必要である。
【０００３】
この保管性の問題を解決するものとして、キャラクターや数字類の表示を熱や光作用によって書き換え可能にするシステムがある（例えば、特許文献1参照）。
【０００４】
特許文献１に記載されたカードシステム用のカードは、カード基材上に可逆性記録層を有し、その上に透明な保護層が設けられている。保護層の面の一部に可逆性表示部を形成し、可逆性記録層に表示された情報を透明な保護層を通して視覚的に認識することができる。カード基材の他方の面には情報を記録するための磁気記録層が設けられており、その上に印刷層が設けられている。可逆性記録層は、熱や光によって可逆的に可視画像を表示し、又は消去することができる。
【先行技術文献】
【特許文献】
【０００５】
【特許文献１】特開２００３−２３０６５６号公報（第３−４頁、図１−２）
【発明の概要】
【発明が解決しようとする課題】
【０００６】
しかしながら、上述した特許文献１に記載された従来技術では、以下のような問題がある。特許文献1に記載した従来技術は、熱や光作用によって、表面の印刷層に記載された数字類やキャラクターを書き換えることが可能となった。しかし、この熱や光作用による書き換えは、印字及び消字のプロセスシステムとカードが１対１で対応しているため、複数のカードを書き換えるためには、枚数分の時間を費やすか、または、枚数分のシステムを用意する必要があるという問題がある。
【０００７】
そこで本発明は、上記課題を解決し、複数のカードの書き換えに必要な時間を短縮することを可能とするカードシステムを提供することを目的とする。
【課題を解決するための手段】
【０００８】
上述した課題を解決し、目的を達成するため、本発明のカードシステムは下記記載の構成を採用するものである。
【０００９】
本発明のカードシステムは、表示情報が書き換え可能な表示部を有する複数のカードと、複数のカードを保持するカードホルダと、カードホルダに保持された複数のカードの表示部を、それぞれ異なる表示情報に書き換える書き換え手段と、を備えることを特徴とする。
【００１０】
また、本発明のカードシステムは、前述した構成に加えて、書き換え手段として、各カ
ードは、第１のアンテナと、第１のアンテナおよび表示部を制御する第１の制御部と、を有し、カードホルダは、第２のアンテナと、第２のアンテナを制御する第２の制御部と、を有し、第２の制御部は、第２のアンテナを制御して第１のアンテナに情報を送信し、第１の制御部は、第１のアンテナを制御して第２のアンテナから送信された情報を受信し、該情報に基づいて表示部の表示を書き換えることを特徴とする。
【００１１】
さらに、本発明のカードシステムは、前述した構成に加えて、表示部は、液晶表示素子を用いて構成されたことを特徴とする。
さらに、本発明のカードシステムは、前述した構成に加えて、表示部は、電気泳動表示素子を用いて構成されたことを特徴とする。
【発明の効果】
【００１２】
本発明のカードシステムでは、複数のカードをカードホルダにセットした状態で、各カードの表示情報を書き換えることができるため、カードの表示情報を１枚ずつ書き換える必要のある従来技術と比較して、複数のカードの書き換えに必要な時間を短縮することが可能となる。
また本発明のカードシステムによれば、１セット分のカード枚数で様々なカードゲームに対応できるため、カードゲームに費やす費用・カードセットの保管場所を削減することが可能となる。
【図面の簡単な説明】
【００１３】
【図１】第１の実施形態のカードシステムの構成を示す説明図である。
【図２】第１の実施形態のカードシステムの構成を示すブロック図である。
【図３】第１の実施形態のカードシステムのカードホルダの構成を示す説明図である。
【図４】第１の実施形態のカードシステムのカードの構成を示す説明図である。
【図５】第１の実施形態のカードシステムの動作例を示すフローチャートである。
【図６】第１の実施形態のカードシステムの動作例を示すフローチャートである。
【図７】カードホルダにカードをセットした状態を示す説明図である。
【図８】カードの表示部の表示情報を更新する前後の状態を示す説明図である。
【図９】第２の実施形態のカードシステムの動作例を示すフローチャートである。
【図１０】裏面に表示部が設けられたカードの構成を示す斜視図である。
【図１１】裏面に表示部が設けられたカードの構成を示す斜視図である。
【発明を実施するための形態】
【００１４】
以下、本発明のカードシステムを実施する際の最良の形態を、図面を用いて詳細に説明する。
【００１５】
［第１の実施形態］
［構成の説明：図１−図４］
図１および図２は、第１の実施形態のカードシステム１の構成を示す説明図である。図１は外観図であり、図２はブロック図である。図１および図２に示すように、第１の実施形態のカードシステム１は、書き換え可能な表示部４を備える複数のカード３と、複数のカード３の表示部４の表示内容を書き換えるためのカードホルダ２とを備える。
【００１６】
まず、カードシステム１のカードホルダ２の構成について説明する。まず、カードホルダ２の構造について説明する。図３はカードホルダ２を模式的に示す斜視図である。図３（ａ）はカードホルダ２の全体の構成を示しており、図３（ｂ）は説明のため一部を破断し、内部の構成が見える状態で示している。
【００１７】
図３に示すように、カードホルダ２は、矩形状の基台部６と、基台部６の４隅に配設された、カード３を保持するための支柱５とを有する。基台部６は基板１２を備えており、この基板１２上には、電磁誘導により情報を送受信するための第２のアンテナ９、ＩＣチップ１０および図示しない電源回路等の電子部品が配設されている。またカードホルダ２は、各種の操作を行うための操作スイッチ７およびスピーカー８を基台部６に備えている。ＩＣチップ１０、第２のアンテナ９、操作スイッチ７およびスピーカー８は、それぞれ基板１２上の配線で接続されている。また、各電子部品が配設された基板１２の上部には保護部が積層されている。さらに、カードホルダ２は基台部６に電源ケーブル１１備える。
【００１８】
次に、カードホルダ２の機能的な構成について説明する。図２のブロック図に示すように、カードホルダ２は、システムに必要とされるプログラムが記録されるＲＯＭ（Read Only Memory）１３ｂと、システムの作業領域で使用するＲＡＭ（Random Access Memory）１３ｃと、ＲＯＭ１３ｂやＲＡＭ１３ｃに蓄積されたデータや処理プログラムに従って演算を行うＣＰＵ（Central Processing Unit）１３ａとを備えている。
【００１９】
ＣＰＵ１３ａ、ＲＯＭ１３ｂおよびＲＡＭ１３ｃは、前述したＩＣチップ１０内に構成され、第２の制御部１３を構成する。第２の制御部１３は、基板１２上の配線でスイッチ７、スピーカー８および第２のアンテナ９と接続され、各デバイスとの信号の送受信および各デバイスの制御を行う。
【００２０】
次に、カードシステム１のカード３の構成について説明する。まず、カードホルダ２の構造について説明する。図４はカード３を模式的に示す斜視図である。図４（ａ）はカード３の全体の構成を示しており、図４（ｂ）は説明のため一部を破断し、内部の構成が見える状態で示している。
【００２１】
図４に示すように、カード３は矩形状を有し表面に表示部４を備える。表示部４は、例えば、表示情報を更新する時以外は電力を必要としない表示保持機能をもった強誘電性液晶表示素子、一般に電子ペーパーとして知られる電気泳動表示素子が用いられる。
また、カード３は基板１９を備えており、この基板１９上には、電磁誘導により情報を送受信するための第１のアンテナ１７およびＩＣチップ１６等の電子部品が配設されている。第１のアンテナ１７、ＩＣチップ１６および表示部４等の各電子部品は、それぞれ基板１９上の配線で接続されている。
【００２２】
次に、カード３の機能的な構成について説明する。図２のブロック図に示すように、カード３は、システムに必要とされるプログラムが記録されるＲＯＭ１５ｂと、システムの作業領域で使用するＲＡＭ１５ｃと、ＲＯＭ１５ｂやＲＡＭ１５ｃに蓄積されたデータや処理プログラムに従って演算を行うＣＰＵ１５ａとを備えている。
【００２３】
ＣＰＵ１５ａ、ＲＯＭ１５ｂおよびＲＡＭ１５ｃは、前述したＩＣチップ１６内に構成され、第１の制御部１５を構成する。第１の制御部１５は、基板１９上の配線で表示部４および第１のアンテナ１７と接続され、各デバイスとの信号の送受信および各デバイスの制御を行う。また、ＲＯＭ１５ｂには、カードシステム１で使用される各プログラムに対応した表示情報が格納されている。
【００２４】
［動作の説明：図５−図８］
次に、第１の実施形態のカードシステム１の動作について説明する。図５および図６は本実施形態のカードシステム１による、カード３の表示情報の書き換え動作を示すフローチャートである。また図７は、カードホルダ２に複数のカード３をセットした状態を示す説明図である。
【００２５】
まず、図７に示すように、カードホルダ２にカード３をセットし、カードホルダ２の電源を入れる。その後、図５のステップＡ１で、ユーザーが利用したいプログラムを、カードホルダ２に配設されたスイッチ７を操作することによって決定する。カードホルダ２の第２の制御部１３は、選択されたプログラムに基づく情報をＲＯＭ１３ｂから読み出す。
【００２６】
ステップＡ２では、カードホルダ２の第２の制御部１３は、第２のアンテナ９を制御してカードホルダ２にセットされた各カード３に電磁誘導により電力を供給するとともに、カード３の枚数をカウントするための情報を送信する。
【００２７】
各カード３の第１の制御部１５は、第１のアンテナ１７でカードホルダ２からの情報を受信し、ＲＯＭ１５ｂに格納された各々のカード固有のＩＤアドレスを応答信号としてカードホルダ２に返信する。この時、各カード３の送信信号が重ならないように重複送信防止の方法を用いる。重複送信防止の方法として、例えば、乱数などを用いて各カード３の送信開始時間を設定する方法を用いることができる。
【００２８】
カードホルダ２の第２の制御部１３は、各カード３からの応答信号により、カードホルダ２にセットされているカード３の枚数をカウントする。
【００２９】
ステップＡ３では、カードホルダ２の第２の制御部１３は、ＲＯＭ１３ｂから読み出した情報に基づき、ステップＡ２でカウントしたカード３の枚数が、ステップＡ１で選択されたプログラムに必要な枚数であるか否かを判断する。
【００３０】
ステップＡ３でプログラムに必要な枚数のカード３がセットされていないと判断した場合、ステップＡ４に進み、カードホルダ２の第２の制御部１３は、スピーカー８による音声情報により、必要な枚数のカード３をカードホルダ２にセットする旨を促すメッセージを通知する。カードホルダ２に表示パネル・ＬＥＤ等の表示手段を設け、この表示手段により、必要な枚数のカード３をカードホルダ２にセットする旨を促すメッセージを通知するか、スピーカー８による音声情報と併用して通知してもよい。メッセージの通知後、再度ステップＡ２に進む。
【００３１】
ステップＡ３でプログラムに必要な枚数のカード３がセットされていると判断した場合、ステップＡ５に進む。ステップＡ５では、カードホルダ２の第２の制御部１３は、第２のアンテナ９を制御して、各カード３にステップＡ１で選択されたプログラムの情報とともに、各カード３の表示の確認・書換えの指示情報を送信する。
【００３２】
図６は、各カード３における表示情報の確認・書換えの動作を示すフローチャートである。カードホルダ２から表示の確認・書換えの指示情報を受信した後、各カード３の第１の制御部１５は、ステップＢ１で、カードホルダ２から受信したプログラムの情報と、表示部４が現在表示している表示情報のプログラムが、同じであるか否かを判断する。
【００３３】
ステップＢ１でカードホルダ２から受信したプログラムの情報と、現在の表示情報のプログラムが同じと判断した場合、ステップＢ３に進む。ステップＢ３では、カード３の第１の制御部１５は、第１のアンテナ１７を制御し、カードホルダ２に表示情報の確認の終了情報を送信する。これにより、各カード３における表示情報の確認・書換えの動作が終了する。
【００３４】
ステップＢ１でカードホルダ２から受信したプログラムの情報と、現在の表示情報のプログラムが異なると判断した場合、ステップＳＢ２に進む。ステップＢ２では、まずカード３の第１の制御部１５は、カードホルダ２から送信されたプログラム情報に基づいた表
示情報をＲＯＭ１５ｂから読み込む。
【００３５】
その後、カード３の第１の制御部１５は、読み込んだ表示情報に基づいて表示部４の表示情報を更新する。ここで、当該カード３が選択されたプログラムでは使用されない場合、例えば、表示をＯＦＦにして白紙状態にしたり、×印を表記したりすることでユーザーが視覚的に確認できるようにする。
【００３６】
ステップＢ２で表示部４の表示情報の更新が終了した後、ステップＢ３に進む。ステップＢ３では、カード３の第１の制御部１５は、第１のアンテナ１７を制御し、カードホルダ２に表示情報の確認の終了情報を送信する。これにより、各カード３における表示情報の確認・書換えの動作が終了する。
【００３７】
図８は、カード３の表示部４の表示情報を更新する前後の状態を示す説明図である。図８（ａ）は更新前のカード３の表示例であり、トランプの絵柄が表示された状態を示す。図８（ｂ）は更新後のカード３の表示例であり、花札の絵柄が表示された状態を示す。
【００３８】
図５のフローチャートに戻り、ステップＡ６で、カードホルダ２の第２の制御部１３は、各カード３からの終了情報により、全てのカード３の表示情報の確認・書換えの動作が終了したか否かを判断する。全てのカード３の表示情報の確認・書換えの動作が終了したと判断したとき、カードホルダ２の第２の制御部１３は、各カードへの電磁誘導による電力の供給を停止する。
上述した動作により、本実施形態のカードシステム１はカード３の表示情報の書き換え動作を行う。
【００３９】
上述した実施形態のカードシステム１では、複数のカード３をカードホルダ２にセットした状態で、各カード３の表示情報を書き換えることができるため、カード３の表示情報を１枚ずつ書き換える必要のある従来技術と比較して、複数のカード３の書き換えに必要な時間を短縮することが可能となる。
【００４０】
また本実施形態のカードシステム１によれば、１セット分のカード枚数で様々なカードゲームに対応できるため、カードゲームに費やす費用・カードセットの保管場所を削減することが可能となる。
【００４１】
さらに本実施形態のカードシステム１では、カード３の表示部４は、強誘電性液晶表示素子、電気泳動表示素子といった表示素子が用いられる。これにより、熱や光作用により印字の書き換えを行う従来技術と比較して、画面表示の繰り返し耐性が強くなる。
【００４２】
［第２の実施形態］
他の第２の実施形態について説明する。図９は、他の実施形態での各カード３における表示情報の書換えの動作を示すフローチャートであり、上述した実施例１の図６のフローチャートに換わるものである。
【００４３】
第２の実施形態のカードシステムは、第１の実施形態のカードシステムにおいて、図２に示す各カード３のＲＯＭ１５ｂに、各プログラムの全てのカードについての表示情報が保存される、すなわち、プログラムがトランプであれば、各カード３のＲＯＭ１５ｂにトランプの全カード５３枚分の表示情報が保存される。
【００４４】
第２の実施形態のカードシステムでは、図５のステップＡ５において、カードホルダ２の第２の制御部１３は、第２のアンテナ９を制御して、各カード３にステップＡ１で選択されたプログラムの情報とともに、ランダムに選択された各カード３固有のＩＤ（上述したトランプの例では、１〜５３のＩＤ）と、表示の確認・書換えの指示情報を送信する。
【００４５】
当該情報を受信した各カード３の第１の制御部１５は、図９のステップＣ１において、カードホルダ２から送信されたプログラム情報およびＩＤに基づいた表示情報をＲＯＭ１５ｂから読み込み、表示部４の表示情報を更新する。
ステップＣ１で表示部４の表示情報の更新が終了した後、ステップＣ２では、カード３の第１の制御部１５は、第１のアンテナ１７を制御し、カードホルダ２に表示情報の確認の終了情報を送信し、各カード３における表示情報の確認・書換えの動作が終了する。
【００４６】
第２の実施形態のカードシステムの他の構成、動作は、第１の実施形態と同様である。
上述した構成、動作とすることにより、第２の実施形態のカードシステムでは、同じプログラムであっても書き換え動作ごとに、各カード３に表示される表示情報がランダムに更新されるため、トランプや花札などのカードシステムで多く用いられる複数のカードを混ぜ合わせるシャッフル行為を、自動で行うことが可能となる。
【００４７】
また上述した第２の実施形態において、図２に示すカードホルダ２のＲＯＭ１３ｂに、各プログラムの全てのカードについての表示情報が保存される構成、すなわち、例えばプログラムがトランプであれば、カードホルダ２のＲＯＭ１３ｂに全５３枚分の表示情報が保存される構成としてもよい。
【００４８】
このような構成とした場合、図５のステップＡ５において、カードホルダ２の第２の制御部１３は、第２のアンテナ９を制御して、各カード３にランダムに、ステップＡ１で選択されたプログラムの表示情報を送信する。
当該情報を受信した各カード３の第１の制御部１５は、図９のステップＣ１において、カードホルダ２から送信された表示情報に基づいて、表示部４の表示情報を更新する。
【００４９】
このような構成、動作とすることで、上述した例と同様に、トランプや花札などのカードシステムで多く用いられる複数のカードを混ぜ合わせるシャッフル行為を、自動で行うことが可能となる。また、ＲＯＭ１５ｂに必要な表示情報が保存されたカード３を用いる必要がなく、上述したような所定の構成を備えるカード３であれば、どのカード３でも用いることが可能となる。
【００５０】
また、例えば、カードホルダ２をインターネットなどの外部接続から表示情報などを含むプログラム情報をダウンロードし、カードホルダ２のＲＯＭ１３ｂに格納することによって、プログラムの種類を制限無く利用できるようになる。
【００５１】
また、上述した各実施形態において、カード３の片面のみではなく、カード３の表面と裏面の両面に表示部を備える構成としてもよい。図１０および図１１は、裏面に表示部１４が設けられたカード３の構成を模式的に示す斜視図である。表面と裏面に表示部を備えることで、表面の表示部４と裏面の表示部１４とで、異なる表示情報を表示することが可能となる。
【００５２】
このような構成にすることで、図１０に示すように、例えばプログラムがトランプであれば表面側の表示部４にトランプの絵柄、裏面側の表示部１４に幾何学模様を表示する、プログラムが花札であれば表面側の表示部４に花札の絵柄、裏面側の表示部１４に無地柄を表示するといったことができ、どちら側の面を見ても利用されているプログラム内容を認識することが可能となる。
【００５３】
また、図１１に示すように、表面の表示部４に選択したプログラムの絵柄を表示し、裏面の表示部１４には利用者の好みにあった模様を選択して表示することも可能となる。
このように、カード３の表面と裏面に表示部４、１４を備えることで、表面と裏面の表示部４、１４にそれぞれ選択したプログラムに応じた絵柄を表示することも可能となり、多種多様なカードシステムに応用することができる。
【符号の説明】
【００５４】
１  カードシステム
２  カードホルダ
３  カード
４、１４  表示部
５  支柱
６  基台部
７  操作スイッチ
８  スピーカー
９  第２のアンテナ
１０、１６  ＩＣチップ
１１  電源ケーブル
１２、１９  基板
１３  第２の制御部
１３ａ、１５ａ  ＣＰＵ
１３ｂ、１５ｂ  ＲＯＭ
１３ｃ、１５ｃ  ＲＡＭ
１５  第１の制御部
１５ａ  ＣＰＵ
１５ｂ  ＲＯＭ
１５ｃ  ＲＡＭ
１７  第１のアンテナ
【図１】
2011045624.tif 000003
【図２】
2011045624.tif 000004
【図３】
2011045624.tif 000005
【図４】
2011045624.tif 000006
【図５】
2011045624.tif 000007
【図６】
2011045624.tif 000008
【図７】
2011045624.tif 000009
【図８】
2011045624.tif 000010
【図９】
2011045624.tif 000011
【図１０】
2011045624.tif 000012
【図１１】
2011045624.tif 000013